【手続補正書】
【提出日】平成17年9月22日(2005.9.22)
【手続補正１】
【補正対象書類名】明細書
【補正対象項目名】全文
【補正方法】変更
【補正の内容】
【書類名】明細書
【発明の名称】  パチンコ機
【特許請求の範囲】
【請求項１】
外レール及び内レールに囲まれた遊技領域の適宜な箇所に風車、入賞口や役物を配置し、遊技領域の最下端部にアウト口が配置される遊技機において、
前記内レールと少なくとも遊技球が通過できる間隔を有してレールを配設して打上球通過領域を形成し、前記打上球通過領域に遊技球を導く入球孔を設けるとともに、前記入球孔から落下した遊技球を前記打上球通過領域に打ち上げる打上装置を配設したことを特徴とするパチンコ機。
【請求項２】
前記打上装置は遊技盤に固定する固定プレートと、前記固定プレートを覆うカバーと、前記レール又は内レールと連通するレール部材と、前記固定プレートに配設されるソレノイドと、遊技球を検知するセンサとから構成されることを特徴とする請求項１記載のパチンコ機
【請求項３】
前記内レールがＭ字型に形成されたレールであることを特徴とする請求項１又は２記載のパチンコ機。
【発明の詳細な説明】
【０００１】
【発明の属する技術分野】
本発明の課題は、発射装置より発射され遊技領域の上方から落下してアウト口にしか入らない遊技球、いわゆる死球をもう一度遊技領域の上方に打ち上げて、入賞の機会を与えることを課題としている。
【０００２】
【従来の技術】
まず最初に第１種パチンコ機（以下単にパチンコ機とも称する）１を例にしてパチンコ機１の構成を説明する。従来のパチンコ機１においては図１に示すように枠部（図示せず）に支持された遊技盤２の外延に外レール４が遊技盤２下端部中央部を始端とし、終端を遊技盤上部右端として配置され、その僅か内側であって遊技盤２の外レール４の終端近傍の位置を始端とし、遊技盤左端上部を終端とする長さを有する内レール３が外レール４と同心円状に配置される。外レール４と内レール３に挟まれて遊技球の通過領域５が形成され、外レール４と内レール３に仕切られた遊技盤２の内部には遊技領域６が形成される。
【０００３】
遊技領域６の中央にはセンターケース７が設けられ、該センターケース７には特別図柄表示装置８及び普通図柄表示装置９が配置される。センターケース７の上部左右にはランプ付き風車１０、同中央部やや下方左右にはそれぞれ２個の風車１１が、同下部中央には第１種始動口（電動役物のことで以下単に始動口とも称する）１２が、始動口１２の左右には通過チャッカー（以下単にチャッカーとも称する）１３、更にその左右には入賞口１４が配置され、始動口１２、チャッカー１３、入賞口１４の下方には左右端部に入賞口１７、中央部に大入賞口１６が一体となったアタッカー１５が配置される。アタッカー１５の下方には、外れ球（図示省略）を回収するアウト口１８が配置される。また、遊技領域６にはセンターケース７の中央部の左右且つ内レール３に接して一対のサイドランプ１９が配置される。これら遊技部品の周りには多数の障害釘（以下単に釘とも称する）２０が所定の位置に打設されている。
【０００４】
発射装置（図示せず）から遊技球を打ち出すと内、外レール３、４により形成される通過領域５を経て、遊技球は遊技領域６の上方に至り、釘２０、ランプ付き風車１０、風車１１等に流下路を変更されながら始動口１２、チャッカー１３、入賞口１４の周囲を落下する。落下する遊技球が始動口１２等に入ると所定数の賞球が払い出される。また、チャッカー１３を遊技球が通過すると普通図柄表示装置９の図柄が回転して予め定められた図柄になると大入賞口１６が開く。始動口１２に遊技球が入ると特別図柄表示装置８の図柄が回転して予め定められた図柄に揃うと大入賞口１６が所定回数開口し、多数の賞球が払い出される大当たりや、大当たりが出易い期間を続け特別入賞等にゲームが発展することもある。従って、遊技者はチャッカー１３、入賞口１４、始動口１２の周囲を遊技球が落下すると、興趣をもってゲームを続けることができる。
【０００５】
しかしながら、発射時に遊技球に加わった弾発力の差や、遊技領域６内に配されるランプ付き風車１０、風車１１や釘２０によって、入賞口１４、チャッカー１３や始動口１２の周りを落下することなく、遊技領域６内の最も外側を落下する遊技球もかなりの数になる。これらの遊技球は瞬時に遊技領域６の最下端部に配置されるアウト口１８から流出してしまうため、遊技者の興趣が著しく減退してしまう。また、近時は特別図柄表示装置８がより大きくなっており、サイドランプ１９とセンターケース７間が狭くなっている。この狭い箇所を落下する遊技球で、サイドランプ１９側に方向を変えて落下する遊技球について、遊技者が早い時期に始動口１２、チャッカー１３、入賞口１４のいずれにも入らない遊技球であると判断してしまうため、遊技球の落下を楽しむパチンコ機本来の楽しみがなくなり、ゲームが単純となっている。
【０００６】
遊技領域６の両サイドに遊技球の通過領域５を設け、通過領域５の下端部の夫々にソレノイドを配置して、発射用ハンドルを回動させると所定のタイミングで励磁され、発射方向を１発の発射毎に或いは複数発の発射毎（所定の発射球毎）に切り替えるものがある（例えば、特許文献１参照）。
【０００７】
【特許文献１】
特開２００１−２２４７６７号公報（第７頁、図１４、図１５）
【０００８】
しかしながら、上記特許文献１に開示された技術は、遊技者の選択によってパチンコ機の発射球を遊技領域６の上方の左右から打ち出すようにしたもので、遊技領域６を落下して入賞の可能性のなくなった遊技球を再び遊技領域６の上方に打ち出す技術は開示されていない。
【０００９】
【発明が解決しようとする課題】
本発明の課題は、発射装置から発射された遊技球が入賞に全く関係のない遊技領域を通過し、あとはアウト口より回収されるだけになった遊技球を再び遊技領域の上方に打ち上げることにより入賞の機会を与えて、遊技者の興趣を増すことを課題としている。
【００１０】
【課題を解決するための手段】
上記課題を解決するため本発明の請求項１で採用した手段は、「外レール及び内レールに囲まれた遊技領域の適宜な箇所に風車、入賞口や役物を配置し、遊技領域の最下端部にアウト口が配置される遊技機において、前記内レールと少なくとも遊技球が通過できる間隔を有してレールを配設して打上球通過領域を形成し、前記打上球通過領域に遊技球を導く入球孔を設けるとともに、前記入球孔から落下した遊技球を前記打上球通過領域に打ち上げる打上装置を配設したことを特徴とするパチンコ機」である。
【００１１】
「少なくとも遊技球が通過できる間隔を有して」とは、遊技球の直径以上の間隔を有してということで、遊技領域が狭くなり、風車、入賞口、釘等の配列に大きく影響を与えない程度にレールと内レールの間隔を広げて、レールを配置することであり、レールと内レールの間隔は同じ間隔でも、異なっていてもよい。
【００１２】
また、本発明請求項２で採用した手段は、「前記打上装置は遊技盤に固定する固定プレートと、前記固定プレートを覆うカバーと、前記レール又は内レールと連通するレール部材と、前記固定プレートに配設されるソレノイドと、遊技球を検知するセンサとから構成されることを特徴とする請求項１記載のパチンコ機」である。
【００１３】
本発明の請求項３で採用した手段は、「前記内レールがＭ字型に形成されたレールであることを特徴とする請求項１又は２記載のパチンコ機」である。
【００１４】
「Ｍ字型に形成されたレール」とは、レールの遊技球が接する面の両端部が高く形成され、該夫々の両端部からレールの中央部に向かって傾斜するＶ字谷状となっていて、その断面形状からＭレールとよばれるレールであり、そのＶ字谷によって遊技球を位置決めし、誘導可能なレールである。
【００１５】
また、外レール及び内レールに囲まれた遊技領域の適宜な箇所に風車、入賞口や役物を配置し、遊技領域の最下端部に内レール近傍の位置に遊技球排出口であるアウト口が配置される遊技機において、第一端部を遊技領域右上方の位置とし、第二端部を遊技領域左上方として配置される内レールの遊技領域内側に、少なくとも遊技球が通過できる間隔を有して、前記アウト口の左右にアウト口近傍の位置を第一端部とし、第二端部を内レールの夫々第一端部、第二端部の下方近傍の位置とする第３レール、第４レールを配設するとともに、第３レール、第４レールの夫々第一端部と内レールの間にソレノイドを配設し、第３及び第４レールに設けた入球孔から第３及び第４レールと内レールで形成される打上球通過領域内に落下した遊技球を再び遊技領域の上方に打ち上げる遊技球打上装置を配設するように構成するのが好ましい。
【００１６】
「第３レール、第４レールの夫々の第一端部と内レールの間にソレノイドを配設し」とは、第３レール及び第４レールに設けた入球孔から内レール上に落下した遊技球を再び遊技領域に打ち上げるためのソレノイドを配置したことで、ソレノイドは図示しないプランジャーに固着されたプッシュロッドの先端に当接片が取り付けられた構成で、励磁されるとプッシュロッドが移動して遊技球を打撃する。なお、内レール上に落下した遊技球を打撃するためにソレノイドは遊技盤を穿設した図示しない穴の中に配設固定プレートに固定される。
【００１７】
レールに設けた入球孔の配置位置が、遊技領域の最も下方に配置される入賞口より下方で、レールの第一端部と内レール間に配設されるソレノイドのプッシュロッドが最前進した位置より上方に配設されるのが好ましい。
【００１８】
「遊技領域の最も下方に配置される入賞口より下方」とは、この入賞口の下方には遊技球を機台裏側に回収するためのアウト口しかない位置をいい、「第３，第４レールの夫々の第一端部と内レール間に配設されるソレノイドのプッシュロッドが最前進した位置より上方に配設」とは、第３及び第４レールに設ける入球孔がソレノイドが励磁されて遊技球を打ち上げるためにプッシュロッドが最前進に移動した箇所より上方の位置において、設けられることである。プッシュロッド最前進位置より下方の位置で第３及び第４レールに入球孔が設けられるとプッシュロッドが前進しているときに遊技球が落下してきて、プッシュロッドが戻らなくなる等の不具合を生ずる。
【００１９】
また、第３レール及び第４レールと内レールで形成される打上球通過領域の最上部に戻り球阻止部材を配設するのが好ましい。
【００２０】
「戻り球阻止部材」とは、内、外レールにより形成される通過領域の最上方端部に配置されて、発射装置から打ち出され、前記通過領域から遊技領域に打ち出された遊技球が再び通過領域内に戻ることを阻止する部材と同じ構成の部材であり、戻り球阻止部材は、第３、第４レールの夫々の第二端部の遊技領域側に、該第二端部に接して保持部材を配置し、保持部材に沿わせた金属舌片の一端を該保持部材の下端部に配置した支持軸に固定し、他端を内レールの第一端部及び第二端部に向けて配置されて、遊技領域内に打ち出された遊技球が打上球通過領域内に進入することを阻止する。
【００２１】
【発明の実施の形態】
本発明の実施の形態を実施例に基づいて説明する。本発明のパチンコ機に装着される遊技球打上装置は同じ構成のものがアウト口の左右に配置されるため、右側の打上装置について図を用いて詳細に説明する。図２は固定プレートに内レールの一部及びソレノイドを配置した平面図、図３は固定プレートを覆うカバーに第４レールの一部を配置した平面図、図４は固定プレートにカバーを被せた平面図、図５は本発明のパチンコ機の正面図である。
【００２２】
図において３は内レールであり、内レール３の第一端部及び第二端部の位置は従来のパチンコ機と同位置であるが、本実施例においてはアウト口１８の下方に内レール３を配置しない。従って、内レール３はアウト口１８を中心として左右に配置される。内レール３はアウト口１８の左右に配置される遊技盤２を穿設して設けられる図示しない孔に固着した固定プレート２３上にレール部材としての内レール３ｂが配置され、上記内レール３の第一端部から固定プレート２３までは内レール３ａが遊技盤２に配置される。
【００２３】
固定プレート２３に複数設けた孔２３ａで固定プレート２３を遊技盤２に設けた穿設穴（図示せず）内に固着する。上記の内レール３ｂは、穿設穴内に固着された固定プレート２３の遊技盤２外周端側の近傍の位置で、固定プレート２３に下端部を固定し、上端部を内レール３ａの上端部と同じ高さとされ、内レール３ａと内レール３ｂが連続した内レール３として配置される。内レール３を構成する内レール３ａ、内レール３ｂは夫々遊技球がレール状をブレて打ち上げることがないようにＶ字谷状とされるＭレールを採用している。固定プレート２３上で内レール３ｂの第一端部よりアウト口１８方向にソレノイド２４を配置し、該ソレノイド２４のベース２４ｃに設けた孔２４ｄにおいて図示しないネジでソレノイド２４を遊技盤２に螺着する。ソレノイド２４の図示しないプランジャーに取り付けられたプッシュロッド２４ａ及び当接片２４ｂの中心は内レール３ｂ上の遊技球の中央と略同高とされる。
【００２４】
内レール３ａと第４レール２８ａは、中心を同じとする半径の異なる（遊技球の直径より僅かに長い長さを有する）二つの円弧として形成される。従って、内レール３ａと第４レール２８ａは互いに平行であり、両レール間に打上球通過領域３２が形成される。なお、第４レール２８ａの下方端部はカバー２６に配置される第４レール２８ｂまでの長さを有する。
【００２５】
カバー２６の外周端は内レール３ｂと第４レール２８ｂ間を除いて、遊技盤２に設けた図示しない穿設穴に配置した固定プレート２３の外周端に接する。第４レール２８を構成する第４レール２８ｂ、同２８ｃは、その下端部を固定プレート２３に固着し、上端部はカバー部２６ｂの裏面に接する。第４レール２８ｂ、同２８ｃは遊技球の直径より僅かに広い間隔の入球孔３０を挟んで同心円上に配置される。また、第４レール２８ｃの上方端部には該第４レール２８ｃと一体に成形されたセンサホルダー２８ｄの一方の端部が設けられる。また、所定の間隔を有して配置されるセンサホルダー２８ｄの他方の端部は固定プレート２３に底部を固着される。
【００２６】
センサホルダー２８ｄにセンサー２５を嵌挿して、カバー２６を固定プレート２３に被せ、カバー２６の４箇所に設けた孔２６ａにおいて図示しないネジでカバー２６を固定プレート２３に固着する。カバー２６のプレート部３１は遊技盤２の表面と同じ高さとなり、遊技球はプレート部３１及びプレート部３１から立設される第４レール２８ｂに沿って流下する。入球孔３０に入らず第４レール２８ｃに落下したり、第４レール２８ｂから流下した遊技球は第４レール２８ｃ上を流下してアウト口１８に入る。
【００２７】
発射装置から発射された遊技球は、内レール３、外レール４で形成される通過領域５を経て遊技盤２の上方に打ち出される。遊技領域２に設けられた釘２０、ランプ付き風車１０、風車１１等に流下経路を変更されて遊技領域２の下方に至り、入賞口１４、始動口１２、アタッカー１５の入賞口１７等いずれも入賞せずに遊技球が第３レール２７ａ、２７ｂ及び第４レール２８ａ、２８ｂ上に落下して流下し、入球孔３０から内レール３ｂ上に落下すると、センサホルダー２８ｄに保持されるセンサー２５に検知され、ソレノイド２４が励磁されて、プッシュロッド２４ａが前方に移行し、プッシュロッド２４ａの先端に固着した当接片２４ｂが遊技球を打撃する。打撃された遊技球はＭ字型の内レール３ｂに導かれて打上球通過領域３２を経て、戻り球の阻止部材３３の金属舌片３３ａに当接して、遊技領域６の上方に押出される。押出された遊技球は再び遊技領域６内を落下する。
【００２８】
【発明の効果】
上記のように構成したので以下の効果を奏する。遊技領域を落下してアウト口にしか入る可能性のない遊技球を遊技領域の左右上方位置に打ち上げるため、この遊技球は、新たに発射装置から発射された遊技球と同じように入賞の可能性のある遊技球として再び落下させることができる。このため、遊技者にゲームを続行する興趣を与えることができる。
【図面の簡単な説明】
【図１】従来のパチンコ機の正面図である。
【図２】本発明のパチンコ機の打上装置の固定プレートに内レールの一部及びソレノイドを配置した平面図である。
【図３】本発明のパチンコ機の打上装置のカバーに第４レールの一部を配置した平面図である。
【図４】本発明のパチンコ機の打上装置の固定プレートにカバーを被せた平面図である。
【図５】本発明のパチンコ機の正面図である。
【符号の説明】
１      パチンコ機
２      遊技盤
３      内レール
３ａ    内レール（レール部材）
３ｂ    内レール
４      外レール
５      通過領域
６      遊技領域
７      センターケース
８      特別図柄表示装置
９      普通図柄表示装置
１０      ランプ付き風車
１１      風車
１２      始動口
１３      チャッカー
１４      入賞口
１５      アタッカー
１６      大入賞口
１７      入賞口
１８      アウト口
１９      サイドランプ
２０      釘
２１      阻止部材
２２      打上装置
２３      固定プレート
２４      ソレノイド
２５      センサー
２６      カバー
２７      第３レール
２８      第４レール
２９      左入球孔
３０      右入球孔
３１      プレート部
３２      打上球通過領域
３３      阻止部材